(57)【要約】【課題】本発明は、医療や理化学分野において、携帯情報端末の撮影機能を利用して被写体を精度良くかつ手軽に撮影することができる携帯情報端末用スコープユニットを提供することを目的とする。【解決手段】本携帯情報端末用スコープユニット１は、撮影するためのカメラレンズＬを備えた携帯情報端末Ｐに装着可能なものであって、携帯情報端末ＰのカメラレンズＬ側に設けられ、カメラレンズＬに対応する位置に撮影窓１２が形成された基部１１と、該基部１１の撮影窓１２の周縁部から撮影方向Ｘに向かって延びる両端部開口の筒状のスコープ部２０とを備える。これによれば、スコープ部２０により携帯情報端末ＰのカメラレンズＬの前方を囲むことにより、カメラレンズＬと被写体Ｍの間を一定の撮影環境にし得るため、携帯情報端末Ｐの撮影機能を利用して被写体Ｍを精度良くかつ手軽に撮影することができる。【選択図】図１
2015012456.tif 000002
【特許請求の範囲】
【請求項１】
撮影するためのカメラレンズを備えた携帯情報端末に装着可能な携帯情報端末用スコープユニットであって、
携帯情報端末のカメラレンズ側に設けられ、カメラレンズに対応する位置に撮影窓が形成された基部と、
該基部の撮影窓の周縁部から撮影方向に向かって延びる両端部開口の筒状のスコープ部とを備えることを特徴とする携帯情報端末用スコープユニット。
【請求項２】
前記スコープ部は、前記撮影窓の周縁部から撮影方向に向かって延びる両端部開口の筒状の第１のスコープ部と、該第１のスコープ部から撮影方向に向かって延びる両端部開口の筒状の第２のスコープ部とを備え、前記第１のスコープ部と第２のスコープ部は撮影方向に沿って互いに摺動可能に嵌合される請求項１に記載の携帯情報端末用スコープユニット。
【請求項３】
前記スコープ部は、前記第１のスコープ部と前記第２のスコープ部が重なる部分を径方向内側に向けて締め付ける環状の締付部を備え、該締付部の締め付けにより前記第１のスコープ部と第２のスコープ部が互いに固定される請求項２に記載の携帯情報端末用スコープユニット。
【請求項４】
前記スコープ部は、前記第１のスコープ部と前記第２のスコープ部が重なる部分において、径方向外側に配置された前記第１のスコープ部または前記第２のスコープ部に撮影方向に沿って延びるスリットが形成されている請求項３に記載の携帯情報端末用スコープユニット。
【請求項５】
前記スコープ部は、前記第１のスコープ部と前記第２のスコープ部が重なる部分において、径方向外側に配置された前記第１のスコープ部または前記第２のスコープ部の外周面にネジ部が形成されるとともに、
前記締付部は、内周面に前記スコープ部のネジ部に螺合するネジ部が形成されるとともに、内周面が第１のスコープ側に次第に径小となる態様のテーパ状に形成されている請求項３または請求項４に記載の携帯情報端末用スコープユニット。
【請求項６】
前記スコープ部は、光透過性を有する乳白色の素材からなる請求項１ないし請求項５のいずれかに記載の携帯情報端末用スコープユニット。
【請求項７】
前記スコープ部は、２０〜４０％の光透過率である請求項６に記載の携帯情報端末用スコープユニット。
【請求項８】
前記スコープ部は、円筒形状である請求項１ないし請求項７のいずれかに記載の携帯情報端末用スコープユニット。
【請求項９】
前記スコープ部は、内面に複数の凹凸が設けられている請求項１ないし請求項８のいずれかに記載の携帯情報端末用スコープユニット。
【請求項１０】
前記スコープ部は、ポリアセタール、ナイロン、塩化ビニルまたはポリカーボネートからなる請求項１ないし請求項９のいずれかに記載の携帯情報端末用スコープユニット。
【請求項１１】
前記スコープ部は、内側にルーペを収容するルーペ収容部が設けられている請求項１ないし請求項１０のいずれかに記載の携帯情報端末用スコープユニット。
【発明の詳細な説明】
【技術分野】
【０００１】
本発明は、医療や理化学分野において、携帯情報端末を利用して被写体を撮影するための携帯情報端末用スコープユニットに関するものである。
【背景技術】
【０００２】
一般の医療現場には、Ｘ線撮影装置や内視鏡撮影装置等、種々の症状等に対応した専用の撮影装置が備えられている（例えば下記特許文献１〜４参照）。このような専用の撮影装置は、種々の症状等を正確に記録するために精度良く撮影することが必要であることより、高性能な機能が搭載されている。
【先行技術文献】
【特許文献】
【０００３】
【特許文献１】特開２００７−０７５３６５号公報
【特許文献２】特開２００５−０７３８５７号公報
【特許文献３】特開２００５−０００６４５号公報
【特許文献４】特開２００４−１０５５３３号公報
【発明の概要】
【発明が解決しようとする課題】
【０００４】
しかしながら、専用の撮影装置は、構成が複雑であり、大型なものが多く、また撮影環境を整えた状態で撮影しなければならなかった。また、一方で医療現場であっても皮膚等の身体外観の撮影等の場合では、被写体を一定以上の精度で撮影できれば、わざわざ専用の撮影装置を用いることなく手軽に撮影を行いたいとの要請があった。つまり、従来の専用の撮影装置は、構成が複雑であるために撮影準備が煩雑であり、装置自体が大型であるために、手軽に撮影することができなかった。
【０００５】
ところで、近年では、スマートフォンや携帯電話を含む携帯情報端末が広く普及しており、これらの携帯情報端末のほとんどが撮影機能を有し、この撮影機能によって被写体を手軽に撮影することが行われている。
【０００６】
このため、上述の医療現場においても携帯情報端末の撮影機能を利用して撮影することも考えられるが、携帯情報端末の撮影では周囲の光の影響を大きく受けたり、携帯情報端末と被写体との間の距離を一定に保つことが難しい等の理由から、医療で要求される精度で被写体を撮影することができない場合があるため、携帯情報端末の撮影機能によって被写体を単純に撮影するのでは不十分であるという問題があった。
【０００７】
本発明は、上述の問題に鑑みてなされたものであり、医療や理化学分野において、携帯情報端末の撮影機能を利用して被写体を精度良くかつ手軽に撮影することができる携帯情報端末用スコープユニットを提供することを目的とする。
【課題を解決するための手段】
【０００８】
本発明は、上記目的を達成するために、撮影するためのカメラレンズを備えた携帯情報端末に装着可能な携帯情報端末用スコープユニットであって、携帯情報端末のカメラレンズ側に設けられ、カメラレンズに対応する位置に撮影窓が形成された基部と、該基部の撮影窓の周縁部から撮影方向に向かって延びる両端部開口の筒状のスコープ部とを備えることを特徴とする。
【０００９】
これによれば、スコープ部により携帯情報端末のカメラレンズの前方を囲むことにより、カメラレンズと被写体の間を一定の撮影環境にし得るため、携帯情報端末の撮影機能を利用して被写体を精度良くかつ手軽に撮影することができる。また、スコープ部の先端部を各種医療装置と接続すれば、従来の専用の撮影装置に代わって種々の症状等を精度良くかつ手軽に撮影することができる。
【００１０】
また、前記スコープ部は、前記撮影窓の周縁部から撮影方向に向かって延びる両端部開口の筒状の第１のスコープ部と、該第１のスコープ部から撮影方向に向かって延びる両端部開口の筒状の第２のスコープ部とを備え、前記第１のスコープ部と第２のスコープ部は撮影方向に沿って互いに摺動可能に嵌合されるのが好ましい。
【００１１】
これによれば、第１のスコープ部に対して第２のスコープ部を撮影方向に摺動させることによりスコープ部の長さを変更し得るため、カメラレンズから被写体までの距離を簡単かつ確実に変更することができる。また、第２のスコープ部を各種医療装置に応じて取り替えることにより、本スコープユニットを各種医療装置に簡単かつ確実に対応させることができる。
【００１２】
また、前記スコープ部は、前記第１のスコープ部と前記第２のスコープ部が重なる部分を径方向内側に向けて締め付ける環状の締付部を備え、該締付部の締め付けにより前記第１のスコープ部と第２のスコープ部が互いに固定されるのが好ましい。これによれば、締付部により第１のスコープ部と第２のスコープ部を互いに固定することにより、スコープ部の撮影方向の長さを簡単かつ確実に設定にすることができる。
【００１３】
また、前記スコープ部は、前記第１のスコープ部と前記第２のスコープ部が重なる部分において、径方向外側に配置された前記第１のスコープ部または前記第２のスコープ部に撮影方向に沿って延びるスリットが形成されているのが好ましい。これによれば、締付部により前記第１のスコープ部と前記第２のスコープ部が重なる部分を径方向内側に向けて締め付けると、径方向外側に配置された一方の第１のスコープ部の先端部または第２のスコープ部の基端部が径方向内側に変形し易くなる。
【００１４】
また、前記スコープ部は、前記第１のスコープ部と前記第２のスコープ部が重なる部分において、径方向外側に配置された前記第１のスコープ部または前記第２のスコープ部の外周面にネジ部が形成されるとともに、前記締付部は、内周面に前記スコープ部のネジ部に螺合するネジ部が形成されるとともに、内周面が第１のスコープ側に次第に径小となる態様のテーパ状に形成されているのが好ましい。これによれば前記締付部を第２のネジ部を前記第１のスコープ部または前記第２のスコープ部の外周面の第１のネジ部に螺合していくと、径方向外側に配置された前記第１のスコープ部の先端部または前記第２のスコープ部の先端部が締付部のテーパ状の内周面により次第に径方向内側に変形して、他方の第２のスコープ部の先端部または第１のスコープ部の先端部を圧接するため、簡易な構成にして第１のスコープ部と第２のスコープ部を相互に簡単かつ確実に固定することができる。
【００１５】
また、前記スコープ部は、光透過性を有する乳白色の素材からなるのが好ましい。これによれば、スコープ部の内側が白色の環境となるため、被写体を適度なホワイトバランス状態で撮影することができる。なお、このような素材としては、ポリアセタール、ナイロン、塩化ビニルまたはポリカーボネートなどが挙げられる。
【００１６】
また、前記乳白色の素材は、２０〜４０％の光透過率であることが好ましい。これによれば、スコープ部の内側が適度な明るさの環境となるため、被写体を一層適度なホワイトバランス状態で撮影することができる。
【００１７】
また、前記スコープ部は、円筒形状であることが好ましい。これによれば、スコープ部内部が均一に近い明るさの環境となるため、明暗の偏りが少なく被写体を撮影することができる。
【００１８】
また、前記スコープ部は、内面に複数の凹凸が設けられていることが好ましい。これによれば、スコープ部内面で入射光が適度に散乱するため、スコープ部内部が一層均一に近い明るさの環境となるため、明暗の偏りが一層少なく被写体を撮影することができる。
【００１９】
また、前記スコープ部は、内側にルーペを収容するルーペ収容部が設けられていてもよい。これによれば、スコープの内側にルーペを収容し得るため、ルーペの倍率に応じて被写体を拡大した状態で撮影することができる。
【発明の効果】
【００２０】
本発明によれば、スコープ部により携帯情報端末のカメラレンズの前方を囲むことにより、カメラレンズと被写体の間を一定の撮影環境にし得るため、携帯情報端末の撮影機能を利用して被写体を精度良くかつ手軽に撮影することができる。また、スコープ部の先端部を各種医療装置と接続すれば、従来の専用の撮影装置に代わって種々の症状等を精度良くかつ手軽に撮影することができる。
【図面の簡単な説明】
【００２１】
【図１】第１の実施形態に係る携帯情報端末用スコープユニットの斜視図である。
【図２】図１の携帯情報端末用スコープユニットの分解側面図である。
【図３】図１の携帯情報端末用スコープユニットの側断面図である。
【図４】図１の携帯情報端末用スコープユニットの締付部周辺の側面図である。
【図５】他の実施形態に係る携帯情報端末用スコープユニットの側断面図である。
【図６】さらに他の実施形態に係る携帯情報端末用スコープユニットの側断面図である。
【図７】携帯情報端末用スコープユニットのスコープ部内部を上方から写した写真である。
【図８】スコープ部内部に設けた観測ポイント１〜９の照度を示した折れ線グラフである。
【発明を実施するための形態】
【００２２】
次に、本発明に係る携帯情報端末用スコープユニットの第１の実施形態について図１〜図４を参照しつつ説明する。
【００２３】
本実施形態に係る携帯情報端末用スコープユニット（以下、本スコープユニットという）１は、撮影するためのカメラレンズＬを備えた携帯情報端末Ｐに装着されるものであって、図１に示すように、携帯情報端末ＰのカメラレンズＬ側に設けられる基部１０と、該基部１０から撮影方向Ｘに向かって延びるスコープ部２０とを備える。
【００２４】
前記基部１０は、図１および図２に示すように、携帯情報端末ＰのカメラレンズＬ側に当接される板状部材である。この基部１０は、上方端部や左右の側方端部等の周縁部に係止片１１が設けられており、該係止片１１によって携帯情報端末Ｐを基部１０に対して位置決めしながら装着できるようになっている。
【００２５】
また、この基部１０は、図３に示すように、該係止片１１により位置決めされた携帯情報端末ＰのカメラレンズＬに対応する位置に撮影窓１２が形成されており、撮影窓１２から携帯情報端末ＰのカメラレンズＬが露出した撮影可能な状態となる。
【００２６】
また、この基部１０は、携帯情報端末Ｐとは反対側の撮影窓１２の周縁部に短筒部１３が設けられている。この短筒部１３は、撮影方向Ｘに向かって延びる短い筒状に形成されたものであり、内周面には後述するスコープ部２０と螺合するためのネジ部１３ａが形成されている。
【００２７】
前記スコープ部２０は、所定の光を透過する乳白色の素材からなり、図３（ａ）、（ｂ）に示すように、撮影窓１２の周縁部から撮影方向Ｘに向かって延びる両端部開口の筒状に形成されたものである。具体的には、このスコープ部２０は、撮影窓１２の周縁部から撮影方向Ｘに向かって延びる両端部開口の筒状の第１スコープ部２１と、該第１スコープ部２１から撮影方向Ｘに向かって延びる両端部開口の筒状の第２スコープ部２２と、第１スコープ部２１と第２スコープ部２２を固定するための締付部２３とを備える。
【００２８】
前記第１スコープ部２１は、図２に示すように、撮影方向Ｘに向かって筒状に延びる第１スコープ本体２１０を備え、該第１スコープ本体２１０の基部１０側には第１スコープ本体２１０と同一軸で基部１０側に延びる態様の筒状の連結筒部２１１が設けられている。
【００２９】
この連結筒部２１１は、第１スコープ本体２１０より小さい径かつ基部１０の短筒部１３に嵌入し得る径で形成されており、該連結筒部２１１の外周面には短筒部１３のネジ部１３ａと螺合するネジ部２１１ａが形成されている。したがって、連結筒部２１１のネジ部２１１ａを短筒部１３のネジ部１３ａに螺合することにより、第１スコープ部２１を撮影窓１２の周縁部から撮影方向Ｘに延びる態様で基部１０に連結することができる。また、連結筒部２１１のネジ部２１１ａと短筒部１３のネジ部１３ａの螺合を解除することにより、第１スコープ部２１を基部１０から分離することができる。
【００３０】
前記第２スコープ部２２は、図２に示すように、撮影方向Ｘに筒状に延びる第２スコープ本体２２０を備え、該第２スコープ本体２２０の第１スコープ部２１側には第２スコープ本体２２０と同一軸で撮影方向Ｘと逆方向に延びる筒状の接続筒部２２１が設けられている。
【００３１】
この接続筒部２２１は、第２スコープ本体２２０より小さい径かつ第１スコープ本体２１１を嵌入させ得る径に形成され、第２スコープ本体２２０側の外周面にネジ部２２１ａが形成されるとともに、第１スコープ部２１側にテーパ部２２１ｂが形成されている。このテーパ部２２１ｂは、合成樹脂等の変形可能な素材からなり、接続筒部２２１の中央部から先端部にかけて先細るように傾斜する態様で形成されている。また、このテーパ部２２１ｂは、撮影方向Ｘに延びる複数のスリット２２１ｃが形成されており、それら各スリット２２１ｃが周方向に等間隔に並ぶ態様で配置されている。
【００３２】
而して、第１スコープ部２１と第２スコープ部２２が撮影方向Ｘに沿って互いに摺動可能に嵌合されているため、例えば図３（ａ）に示すように、第１スコープ部２１に対して第２スコープ部２２を携帯情報端末Ｐ側に摺動させると、カメラレンズＬから被写体Ｍまでの距離が短くなる。一方、第１スコープ部２１に対して第２スコープ部２２を被写体Ｍ側に摺動させると、カメラレンズＬから被写体Ｍまでの距離が長くなる。このように第１スコープ部２１に対して第２スコープ部２２を摺動させることにより、スコープ部１２全体の長さを変更し得るため、カメラレンズＬから被写体Ｍまでの距離を簡単かつ確実に変更することができる。
【００３３】
また、スコープ部２０は、所定の光を透過する乳白色の素材からなるため、スコープ部２０の内側が一定の明るさの環境となり、被写体Ｍを精度良く撮影することができる。このスコープ部２０は、好適には光透過率が２０〜４０％のポリアセタール、ナイロン、塩化ビニルまたはポリカーボネート等の素材が挙げられる。これにより、撮影時においてスコープ部２０の外側から光が透過して内側に入射した場合、スコープ部２０の内側が白色で適度な明るさの環境となるため、被写体Ｍを適度なホワイトバランス状態で撮影することができる。
【００３４】
前記締付部２３は、第１スコープ部の第１スコープ本体２１０と第２スコープ部２２０の接続筒部２２１が重なる部分を径方向内側に向けて締め付けるものである。また、この締付部２３は、第２スコープ部２２の接続筒部２２１のネジ部２２１ａに螺合するネジ部２３ａが形成されるととともに、内周面が第１スコープ２１側に次第に径小となる態様のテーパ状に形成されている
【００３５】
これにより締付部２３のネジ部２３ａを第２スコープ部２２の接続筒部２２１のネジ部２２１ａに螺合していくと、締付部２３が次第に第２スコープ本体２２０側に次第に移動していく。これに伴って締付部２３のテーパの作用によって第２のスコープ部の接続筒部２２１のテーパ部２２１ｂが次第に径方向内側に変形して第１スコープ本体２１０の外周面を圧接するため、第１のスコープ部２１と第２のスコープ部２２を相互に簡単かつ確実に固定することができる。しかも、本実施形態では、第２スコープ部２２の接続筒部２２１に複数のスリット２２１ｃが形成されているため、接続筒部２２１が径方向内側に変形し易くなっている。
【００３６】
以上のように構成される本スコープユニット１において、図１に示すように、携帯情報端末Ｐを装着すると、携帯情報端末ＰをカメラレンズＬが基部１１の撮影窓１２に配置され、本スコープユニット１の先端部を被写体Ｍに当接させることにより被写体Ｍを一定距離で撮影することができる。しかも、本スコープユニット１により携帯情報端末ＰのカメラレンズＬの前方を囲むことにより、カメラレンズＬと被写体Ｍの間を一定の撮影環境にし得るため、携帯情報端末Ｐの撮影機能を利用して被写体Ｍを精度良くかつ手軽に撮影することができる。
【００３７】
なお、上記各実施形態では、スコープ部が乳白色の素材からなるものとしたが、その他の色や素材であってもよい。
【００３８】
また、第１スコープ２１を第２スコープ２２内に嵌合させるものとしたが、第２スコープ部２２を第１スコープ部２１内に嵌合させてもよい。このとき第１スコープ部２１は、外周面に締付部２３のネジ部２３ａに螺合するネジ部が形成されたり、スリット付きのテーパ部が形成されるのが好ましい。
【００３９】
また、第１スコープ部と第２スコープ部は摺動可能なものとしたが、螺着構造等により摺動以外の方法で互いの位置を変えるものとしてもよい。
【００４０】
また、スコープ部２０の先端部を被写体Ｍに当接させるものとしたが、図５に示すように、スコープ部２０の先端部を内視鏡等の各種医療装置Ｔと接続してもよい。このとき、上述の締付部２３による第１スコープ部２１と第２スコープ部２２の固定構造と同様に、環状の第２締付部２４により第２スコープ部２２と各種医療装置Ｔを接続してもよい。さらに、第２スコープ部２２の第２スコープ本体２２０の先端部には、第２締付部２４の内周面のネジ部２４ａと螺合するネジ部２２０ａや、スリット付きのテーパ部２２０ｂを形成して、第２締付部２４による締め付けを確実なものとしてもよい。
【００４１】
また、被写体Ｍを近接で撮影するものとしたが、スコープ部２０の内側にルーペＲを設けることにより拡大、広角、魚眼などで撮影してもよい。例えば、図６に示すように、スコープ部２０の第１スコープ２１の内側にルーペ収容部２１２を設けて、該ルーペ収容部２１２内にルーペＲを収容する構造が挙げられる。
【実施例】
【００４２】
本実施例では、スコープ部を円筒形状又は四角形状とする。光源と本スコープユニットとの間にあえて障害物Ｓを設け、スコープ内部に明るめの箇所と暗めの箇所とが生じるようにし、スコープ内部の複数の観測ポイントで輝度（ｃｄ／ｍ２）を測定した。図７で示すスコープ部内部の左側が上述の明るめの箇所であり、スコープ内部の右側が上述の暗めの箇所である。
【００４３】
本実施例に係る観測ポイント１〜９の輝度を図８に示す。なお、観測ポイント１〜９は、スコープ部内部に三行三列格子状に設けられており、左列を光源より遠い方から順に観測ポイント１、２、３、中央列を光源より遠い方から順に観測ポイント４、５、６、右列を光源より遠い方から順に観測ポイント７、８、９とする。なお、比較例として、スコープが無い場合の各観測ポイントの輝度も計測した。
【００４４】
このように本スコープユニットを用いると、本スコープユニットが無い場合に比べて、輝度の最大値と最小値との差が小さくなるため、輝度のばらつきが小さく均一に近い明るさとなることがわかる。さらに、本スコープユニットのスコープ部が円筒形状であれば、スコープ部が四角形状である場合に比べて、輝度の最大値と最小値との差が一層小さくなるため、輝度のばらつきが一層小さく均一に一層近い明るさになることがわかる。
【００４５】
このように、本スコープユニットを用いると、スコープ部内部が均一に近い明るさになるため、被写体を適度なホワイトバランス状態で撮影することができる。
【００４６】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００４７】
１…本スコープユニット
１０…基部
１１…係止片
１２…撮影窓
１３…短筒部
１３ａ…ネジ部
２０…スコープ部
２１…第１スコープ部
２１０…第１スコープ本体
２１１…連結筒部
２１１ａ…ネジ部
２２…第２スコープ部
２２０…第２スコープ本体
２２１…接続筒部
２２１ａ…ネジ部
２２１ｂ…テーパ部
２２１ｃ…スリット
２３…締付部
２３ａ…ネジ部
Ｐ…携帯情報端末
Ｌ…カメラレンズ
Ｍ…被写体
【図１】
2015012456.tif 000003
【図２】
2015012456.tif 000004
【図３】
2015012456.tif 000005
【図４】
2015012456.tif 000006
【図５】
2015012456.tif 000007
【図６】
2015012456.tif 000008
【図７】
2015012456.tif 000009
【図８】
2015012456.tif 000010